(57)【特許請求の範囲】
【請求項１】
車両の所定空間を閉じた閉状態と開放した開状態との間で開閉自在に設けられたリッド部材と、前記所定空間内に設けられ、前記リッド部材を前記閉状態において拘束するロック機構とを備え、該ロック機構による拘束を解除することで該リッド部材を開閉可能とするエマージェンシー機構であって、
前記ロック機構は、車両側に設けられた係合部材と、前記リッド部材に設けられ、該係合部材が係合する被係合部材とを有し、
前記係合部材は、前記被係合部材と係合する係合本体と、押圧することで該係合本体を前記被係合部材との係合が解除される方向に移動させる解除用押圧部とを有し、
前記所定空間には、前記解除用押圧部を押圧する棒状の部材を挿通させるための挿通空間が該所定空間から外側に開口して設けられ、
前記解除用押圧部は、前記係合部材と前記被係合部材とが係合している状態において、前記挿通空間内に位置するように設けられていることを特徴とするエマージェンシー機構。
【請求項２】
請求項１に記載のエマージェンシー機構において、
前記挿通空間には、前方の開口から前記解除用押圧部まで該解除用押圧部を押圧する棒状の部材を案内するガイド部材が設けられていることを特徴とするエマージェンシー機構。
【請求項３】
請求項２に記載のエマージェンシー機構において、
前記ガイド部材は、車両に搭載されたジャッキレバーが挿通可能な内径を有するパイプ部材であることを特徴とするエマージェンシー機構。
【発明の詳細な説明】
【技術分野】
【０００１】
本発明は、車両の所定空間を閉じた閉状態と開放した開状態との間で開閉自在に設けられたリッド部材のロック機構を緊急的に解除するエマージェンシー機構に関し、特に、該ロック機構を外力を加えることによって解除してリッド部材を開閉可能とするエマージェンシー機構に関する。
【背景技術】
【０００２】
従来より、車両におけるトランクルームやルーフ格納室等の所定空間を自在に開閉するリッド部材が知られている。
【０００３】
例えば、特許文献１に係る車両は、車室の上方を覆うフロントルーフおよび車室後方を覆うバックルーフが可動式であるリトラクタブルルーフを備えていて、フロントルーフとバックルーフとが格納状態のときには２つのルーフが折り畳まれた状態で車両後方のルーフ格納室に格納される。そして、このルーフ格納室はリッド部材であるデッキパネルによって蓋をされる。一方、外気温が低い場合や雨の場合などは、ルーフ格納室のデッキパネルを開き、２つのルーフを使用状態として車室の上部全体を覆って、車室を密閉としている。
【０００４】
また、その他のリッド部材としてはトランクルームを遮蔽するトランクカバー等がある。
【０００５】
このようなリッド部材は、車両走行中に開かないようにロック機構によって閉状態で拘束されている。
【０００６】
例えば、特許文献２に係る車両では、ルーフ格納室内において、ガイド面上を摺動可能なフック部材と、デッキパネルに設けられたピンとを有するロック機構が備えられている。そして、フック部材をワイヤを介してモータ等の駆動源で駆動することによって、該ピンとの係合及び係合解除を行い、デッキパネルを拘束及び拘束解除するように構成されている。
【特許文献１】特開平８−２４４４６５号公報
【特許文献２】特開２００３−２０５７４８号公報
【発明の開示】
【発明が解決しようとする課題】
【０００７】
前述のデッキパネルを備えた車両において、ロック機構の駆動源が故障して動かなくなることが考えられる。このような場合、例えばルーフが格納状態でルーフ格納室に格納されていることを想定すると、雨が降ってもルーフが閉じないので乗員および車室内が濡れてしまうという不都合が生じる。従って、このような緊急事態に備えて、乗員が手動でルーフの開閉を行うことができるエマージェンシー機構を車両に設置しておくことが必要である。特に格納状態では、まずルーフ格納室の蓋を手動で開けることから始めなければならない。
【０００８】
前記特許文献２に係るロック機構のような構成においては、フック部材に繋がる、手動で操作するためのワイヤを別途設け、そのワイヤを車室内等の乗員が手動で操作できる位置まで延設しておくことが考えられる。
【０００９】
しかしながら、このような構成では、ワイヤを車室側まで引き回す必要があり、組立性が低下すると共に、ルーフ格納室内等のレイアウトに制約を与えることになる。また、該ワイヤが切れた場合にはロック機構を乗員の操作では解除できない虞もある。
【００１０】
特に、ルーフ格納室のデッキパネルのロック機構が、ルーフを格納した状態のまま解除できなくなると、修理工場等で修理してもらうまでは乗員及び車室が雨ざらしの状態になってしまうという問題があった。
【００１１】
本発明は、かかる点に鑑みてなされたものであり、その目的とするところは、車両における所定空間を開閉するリッド部材のロック機構において、簡易な構成であって、その駆動源故障時に容易に人力などの外力によってリッド部材の開閉が行えるエマージェンシー機構を提供することにある。
【課題を解決するための手段】
【００１２】
本発明は、車両側に設けられ、リッド部材の被係合部材と係合する係合部材に解除用押圧部を設け、該解除用押圧部を車室側から任意の棒状の部材を挿入することでアクセス可能な位置に設け、該棒状の部材で解除用押圧部を押圧することによって該係合部材と被係合部材との係合が解除されるようにしたものである。
【００１３】
第１の発明は、車両の所定空間を閉じた閉状態と開放した開状態との間で開閉自在に設けられたリッド部材と、前記所定空間内に設けられ、前記リッド部材を前記閉状態において拘束するロック機構とを備え、該ロック機構による拘束を解除することで該リッド部材を開閉可能とするエマージェンシー機構が対象である。そして、前記ロック機構は、車両側に設けられた係合部材と、前記リッド部材に設けられ、該係合部材が係合する被係合部材とを有し、前記係合部材は、前記被係合部材と係合する係合本体と、押圧することで該係合本体を前記被係合部材との係合が解除される方向に移動させる解除用押圧部とを有し、前記所定空間には、前記解除用押圧部を押圧する棒状の部材を挿通させるための挿通空間が該所定空間から外側に開口して設けられ、、前記解除用押圧部は、前記係合部材と前記被係合部材とが係合している状態において、前記挿通空間内に位置するように設けられているものとする。
【００１４】
前記の構成の場合、前記リッド部材で閉じられる所定空間には、車室側に開口する前記挿通空間が形成され、この挿通空間内には車両側に設けられた係合部材の解除用押圧部が位置している。かかる構成によれば、該挿通空間内に所定空間の外側から任意の棒状の部材を挿通させることで、該棒状の部材によって該解除用押圧部を押圧することができる。その結果、ロック機構によるリッド部材の拘束が解除され、リッド部材を手動で開閉させることができるようになる。
【００１５】
つまり、前記のように、解除用押圧部を車室側に開口する挿通空間内に位置させることによって、乗員が手動で操作して係合部材の係合を解除させるためのワイヤ等の部品を別途設ける必要がなく、エマージェンシー機構を簡易な構成とすることができると共に、該挿通空間に挿通可能な棒状の部材さえあれば、ロック機構を容易に解除することができる。
【００１６】
第２の発明は、第１の発明において、前記挿通空間には、前方の開口から前記解除用押圧部まで該解除用押圧部を押圧する棒状の部材を案内するガイド部材が設けられているものとする。
【００１７】
前記挿通空間の開口から棒状の部材を挿通させて前記解除用押圧部を押圧する場合、棒状の部材が安定せず、解除用押圧部を棒状の部材で上手く押圧することができない虞がある。そこで、前記の構成では、該挿通空間内に前記ガイド部材を設けることによって、挿通空間内に挿通する棒状の部材が解除用押圧部まで案内されるため、該解除用押圧部を確実に押圧操作することができる。
【００１８】
第３の発明は、第２の発明において、前記ガイド部材は、車両に搭載されたジャッキレバーが挿通可能な内径を有するパイプ部材であるものとする。
【００１９】
前記の構成の場合、該解除用押圧部を押圧する棒状の部材として、ジャッキレバーが想定されている。つまり、ジャッキレバーは通常、車両に搭載されているため、ロック機構を解除するための専用の棒状の部材を車両に別途搭載させる必要がなく、部品点数の増加を防止することができる。
【発明の効果】
【００２０】
本発明によれば、所定空間内に車室側に開口する前記挿通空間を形成し、前記係合部材の解除用押圧部を該挿通空間内に配置することによって、該挿通空間に棒状の部材を挿通して該解除用押圧部を押圧することでリッド部材の拘束を容易に解除することができる。また、ワイヤ等の部材を設ける必要もないため、組立性及びレイアウト性を向上させることができる。
【発明を実施するための最良の形態】
【００２１】
以下、本発明の実施形態を図面に基づいて詳細に説明する。
【００２２】
図１および図２はリトラクタブルルーフ５を備えている車両１を示す模式的な側面図である。
【００２３】
リトラクタブルルーフ５は、乗務員室の天井となるフロントルーフ２と乗務員室後部側のミドルルーフ３とバックウインドウ４とを備えており、図１に示す車室上方を覆う全閉状態と、図２に示すルーフ格納室７内に格納された格納状態との間で開閉自在な構成となっている。図１においては、リトラクタブルルーフ５が全閉の状態が実線で示されており、半開（半閉）の状態が一点鎖線で表されている。格納状態においては、フロントルーフ２、ミドルルーフ３、バックウインドウ４が折りたたまれてルーフ格納室７に格納される。
【００２４】
尚、リトラクタブルルーフ５およびデッキパネル６はリンク機構によって開閉するが、リンク機構を図に描くと図が複雑になり見にくくなるため、リンク機構は図１，図２には示していない。
【００２５】
そして、リトラクタブルルーフ５が全閉状態及び格納状態のときには、デッキパネル６が閉状態となってルーフ格納室７を遮蔽している。このデッキパネル６は、図３に示すように、その両側端縁及び後端縁がそれぞれ左右のリアフェンダ１０１（図３では左側のみ図示）及びトランクリッド１０２の前端縁とウェザストリップ（図示省略）を介して当接してルーフ格納室７を遮蔽している。こうして遮蔽されるルーフ格納室７は、車室１００内のシート１０３の後方位置において、デッキパネル６前端縁に沿って車室側に開口している。
【００２６】
図４，５は、デッキパネル６を開閉するリンク機構を示した図である。図４は、デッキパネル６が閉じているときの状態の図であり、図５は、デッキパネル６が完全に開いた状態の図である。なお、これらの図ではリンク機構をわかりやすく示すためにデッキパネル６を一点鎖線で表示しており、図５ではモータ１２およびモータブラケット１１を省略している。
【００２７】
このリンク機構はモータ１２を駆動源としてデッキパネル６の開閉を行う機構であり、ベースであるメインブラケット２１と、デッキパネル６に固定されたリッドブラケット３１と、メインブラケット２１及びリッドブラケット３１に両端が枢支連結されていてリンク機構を作動させる原動レバー１４と、メインブラケット２１及びリッドブラケット３１に両端が枢支連結されていてデッキパネル６の開閉範囲及び開閉の動きを規制する従動レバー１５とを備えている。メインブラケット２１はルーフ格納室７の底面に固定されることにより車体に固定されている。また、デッキパネル６は、ルーフ格納室７を遮蔽した閉状態においてロック機構９により拘束される。尚、本実施形態ではデッキパネル６とリッドブラケット３１とを併せてリッドと言うことができる。
【００２８】
以下、図６を元にリンク機構の構造を説明する。
【００２９】
このリンク機構において、原動レバー１４はセクターギヤ１３によって駆動される。原動レバー１４に取り付けられた長孔付きカム３３の長孔３４に、セクターギヤ１３に取り付けられたピンが嵌り、セクターギヤ１３の回転に伴ってピンが長孔３４内を移動しながら長孔の内壁に力を加えて原動レバー１４を駆動するのである。このセクターギヤ１３は、ベースであるメインブラケット２１にセクターギヤ取付ボルト４１によって回転自在に取り付けられており、ピニオン２２（図６ではモータ１２裏側に隠れている）を介してモータ１２により駆動される。つまり、セクターギヤ取付ボルト４１がセクターギヤ１３の回転軸となっている。
【００３０】
モータ１２はモータブラケット１１に固定されており、モータブラケット１１は２本のボルト（棒部材）４２，４３によってメインブラケット２１に取り付けられている。これらのボルト４２，４３のうち、ボルト４２はモータブラケット１１に開けられた孔４５に差し込まれ、ボルト４３はモータブラケット１１に開けられた長孔４６に差し込まれ、いずれもモータブラケット１１との間に樹脂製のワッシャ５１を挟み込んでメインブラケット２１に開けられた雌ねじ付き孔に螺合されている。さらにメインブラケット２１には、モータブラケット１１が取り付けられている面から折り曲げられて該面に対して略垂直に延びる折り曲げ部５２が設けられており、この折り曲げ部５２に開けられた取付孔５３にエマージェンシー部材であるエマージェンシーボルト４４を差し込んでモータブラケット１１に螺合させて固定されている。また、取付孔５３の上には後述するエマージェンシー孔５４が折り曲げ部５２に設けられている。このエマージェンシー孔５４にはエマージェンシーボルト４４と螺合可能な雌ねじが形成されている。
【００３１】
次にロック機構９について説明する。ロック機構９は、セクターギヤ１３と、デッキパネル６に設けられた被係合ピン９２とで構成される。
【００３２】
すなわち、セクターギヤ１３には、図４に示すように、一方のギア端部に鉤状のフック部９１が形成されており、このフック部９１が前記デッキパネル６が閉状態において前記被係合ピン９２と係合する。また、フック部９１の先端には、該フック部９１と被係合ピン９２との係合を手動で解除するための解除用押圧部９３が形成されている。この解除用押圧部９３を後方に押圧すると、セクターギヤ１３がフック部９１と被係合ピン９２との係合が解除される方向（図３では時計回り）に回動する。すなわち、このセクターギヤ１３がフック本体に相当する。
【００３３】
一方、前記被係合ピン９２は、デッキパネル６に取り付けられたリッドブラケット３１に固定されている。換言すれば、該被係合ピン９２は、リッドブラケット３１を介してデッキパネル６に取り付けられている。
【００３４】
そして、図４に示すように、デッキパネル６が閉状態のときに、セクターギヤ１３のフック部９１が、前記被係合ピン９２に係合してデッキパネル６が開かないように拘束している。
【００３５】
そして、前記セクターギヤ１３の解除用押圧部９３は、図３，９に示すように、デッキパネル６の閉状態において、ルーフ格納室７内であって、格納されたフロントルーフ２の車幅方向外側の領域である挿通空間Ｓ内に位置する。
【００３６】
この挿通空間Ｓは、リトラクタブルルーフ５格納状態においては、車幅方向内側をフロントルーフ２（図７では図示省略）で画成され、上方をデッキパネル６で画成され、下方をミドルルーフ３で画成され、ルーフ格納室７前部において車室側に開口している。尚、本実施形態においては、リトラクタブルルーフ５格納状態においてミドルルーフ３がロック機構９の下方に位置するため、該挿通空間Ｓの下方は該ミドルルーフ３により画成されているが、ミドルルーフ３の車幅方向外側端部がロック機構９の下方位置に位置しない場合には、挿通空間Ｓの下方はルーフ格納室７のフロアによって画成されることになる。
【００３７】
さらに詳しくは、リッドブラケット３１がこの挿通空間Ｓ内に位置するようにデッキパネル６に取り付けられており、解除用押圧部９３が該リッドブラケット３１の車幅方向外側であって格納されたミドルルーフ４の上側且つ車幅方向内側の位置に位置するようにセクターギヤ１３がメインブラケット２１に取り付けられている。
【００３８】
こうして、解除用押圧部９３が、ルーフ格納室７前部の開口からアクセス可能な位置に配置されている。
【００３９】
また、挿通空間Ｓ内には、ルーフ格納室７の前部の開口から解除用押圧部９３へ向かって延びるガイドパイプ８が設けられている。このガイドパイプ８は、ガイド取付部材８１、８１を介してリッドブラケット３１に取り付けられている。また、このガイドパイプ８は、ジャッキレバー１０４（図８参照）が挿通可能な内径を有している。
【００４０】
こうして、解除用押圧部９３とルーフ格納室７の開口との間には、棒状の部材が干渉することなく挿通できる空間が形成されている。
【００４１】
ここでモータ１２が故障して作動しなくなった場合（モータ１２の停止）を考える。リトラクタブルルーフ５が全開状態でルーフ格納室７に格納され、デッキパネル６がルーフ格納室７を覆っていると、雨が降ったときにはリトラクタブルルーフ５を閉じることができないので車室内に雨が降り込んで乗員が濡れてしまうとともに種々の計器が濡れて故障してしまう虞がある。この場合、セクターギヤ１３とピニオン２２とが噛み合っているので、モータ軸が回転しない限りセクターギヤ１３が動くことはない。セクターギヤ１３を外部から無理矢理動かすことによって作動しないモータ軸を回そうとすると、非常に大きな力が必要なためリンク機構が破損してしまう。またこの場合、人力ではモータ軸を回転させることは不可能なので、モータ軸を回転させるためには専門の修理工場に作業を依頼する必要がある。さらに、仮にセクターギヤ１３とピニオン２２の噛み合いが解除されても、デッキパネル６に取り付けられた被係合ピン９２にセクターギヤ１３のフック部９１が係合しているため、そのままではデッキパネル６を開けることができない。
【００４２】
しかしながら本実施形態のリトラクタブルルーフ５のロック機構９にはエマージェンシー機構が備え付けられているので、モータ１２が作動しなくなっても手動にてデッキパネル６を開けられるようになる。以下に本実施形態に係るエマージェンシー機構に関して説明をする。
【００４３】
本実施形態では、図４に示すようにデッキパネル６がルーフ格納室７を覆って閉まっているとき、モータ１２が停止していてセクターギヤ１３とピニオン２２とが噛み合っている状態では、上述のようにピニオン２２が繋がっているモータ軸を無理矢理動かさない限りデッキパネル６が開かない。この状態において手動でデッキパネル６を開けられるようにするために、まずエマージェンシーボルト４４をモータブラケット１１との螺合を解除して取り外す。それから折り曲げ部５２に設けられたエマージェンシー孔５４にエマージェンシーボルト４４をねじ込んで螺合させる。
【００４４】
エマージェンシー孔５４は貫通孔であるので、エマージェンシーボルト４４をさらにねじ込んでいくとエマージェンシーボルト４４の先端が折り曲げ部５２を突き抜けてモータブラケット１１の当接面４７に当接し、モータブラケット１１をモータ１２の駆動軸に対して垂直な方向に押していく。モータブラケット１１は、メインブラケット２１に２本のボルト４２，４３によって取り付けられているが、この取付は樹脂製のワッシャ５１，５１を介して行われており、ボルト４３はモータブラケット１１の長孔４６に差し込まれているため、ボルト４２を回転軸としてモータブラケット１１は回転していく。このときワッシャ５１，５１は樹脂製のため変形してモータブラケット１１が回転できるようになる。ここでモータブラケット１１は、モータ１２駆動軸に垂直な方向に回転していく。
【００４５】
長孔４６はボルト４２が差し込まれている孔４５を中心とする同一円弧上に延びるように形成されているので、当接面４７がエマージェンシーボルト４４に押されていってモータブラケット１１が回転していくのに連れて、ボルト４３は固定されたままであるが長孔４６がボルト４３に対して位置を変えていく。エマージェンシーボルト４４に押されることによるモータブラケット１１の回転は、図４において、ボルト４２よりも上側が右方向に回転し下側が左方向に回転するものである。
【００４６】
このようにモータブラケット１１が回転するとモータブラケット１１に固定されているモータ１２も一緒に回転する。この回転によってピニオン２２がセクターギヤ１３から離れていき、両者の噛み合わせが外れる。
【００４７】
ピニオン２２とセクターギヤ１３との噛み合わせを外すにはピニオン２２の部分で歯の長さ分だけ移動させればよい。本実施形態では、モータブラケット１１の回転軸となるボルト４２からピニオン２２の軸までの距離と、ボルト４２から当接面４７までの距離とがほぼ同じであるので、エマージェンシーボルト４４により当接面４７をピニオン２２の歯の長さ相当の距離だけ移動させれば噛み合わせが外れる。
【００４８】
ピニオン２２とセクターギヤ１３との噛み合わせが外れたら、次に、セクターギヤ１３のフック部９１と被係合ピン９２との係合を解除する。
【００４９】
詳しくは、図８に示すように、前記ルーフ格納室７前部の開口から前記挿通空間Ｓ内に車両に搭載されたジャッキレバー１０４を挿通する。このとき、ジャッキレバー１０４がガイドパイプ８内を通るように挿通する。そうすると、ジャッキレバー１０４は、ガイドパイプ８に案内されて、その先端が解除用押圧部９３に当接する。その状態で、ジャッキレバー１０４をさらに挿通して、解除用押圧部９３を後方に押圧すると、セクターギヤ１３とピニオン２２との噛み合わせが既に解除された後であるため、セクターギヤ１３がフック部９１と被係合ピン９２との係合が解除される方向（図８では時計回り）に回動する。その結果、セクターギヤ１３のフック部９１と、リッドブラケット３１の被係合ピン９２との係合が解除される（図中の二点鎖線参照）。
【００５０】
こうして、フック部９１と被係合ピン９２との係合が外れたら、図９に示すように、デッキパネル６を人力にて持ち上げることができる。
【００５１】
したがって、前記実施形態によれば、ロック機構９の駆動源が故障した場合等に、ルーフ格納室７前端の開口から挿通空間Ｓ内にジャッキレバー１０４を挿通して、前記解除用押圧部９３を押圧するという簡単な操作で、セクターギヤ１３のフック部９１と被係合ピン９２との係合を解除することができるため、乗員により容易に且つ短時間で作業を行うことができる。その結果、ロック機構９を解除させるためのワイヤ等の部材を別途設ける必要がなく、部品点数を削減することができると共に、ワイヤ等の配設によるレイアウト上の制約を受けることもない。
【００５２】
また、前記エマージェンシー機構によれば、解除用押圧部９３の配置と、棒状の部材を案内するためのガイド部材という簡易な構成だけで、ロックを解除することができるため、ワイヤ等を用いて別のエマージェンシー機構のようにエマージェンシー機構自体の故障を考慮する必要がない。
【００５３】
また、前記実施形態のようにセクターギヤ１３をモータ１２で駆動する構成においては、フック部９１と被係合ピン９２との係合解除に先だって、モータ１２のピニオン２２とセクターギヤ１３との噛合を解除しているため、解除用押圧部９３を押圧するのに大きな力が必要なく、弱い力で係合を解除することができる。
【００５４】
さらに、解除用押圧部９３は、ルーフ格納室７内であって視認し難い場所に位置する場合であっても、前記ガイドパイプ８が設けられているため、該ガイドパイプ８にジャッキレバー１０４を挿通させれば、ガイドパイプ８によって解除用押圧部９３までジャッキレバー１０４が案内されるため、ジャッキレバー１０４の先端を解除用押圧部９３に簡単に押し当てることができる。
【００５５】
さらにまた、前記実施形態では、解除用押圧部９３をジャッキレバー１０４で押圧操作するため、解除用押圧部９３を押圧するための専用の工具を車両に搭載しておく必要がなく、エマージェンシー機構の部品点数を削減することができる。
【００５６】
また、フック部９１と被係合ピン９２との係合解除の前提となるピニオン２２とセクターギヤ１３との噛合解除も、エマージェンシーボルト４４をメインブラケット２１から外してエマージェンシー孔４５に螺合させるという簡単な動作でピニオン２２とセクターギヤ１３との噛み合わせを外すことができるので、車の修理に未熟練な人であっても容易に且つ短時間で作業を行うことができる。また、エマージェンシーボルト４４をエマージェンシー孔４５に螺合させるのには大きな力は必要ではないので、力の弱い人でも作業が可能である。モータ修理後はエマージェンシーボルト４４をエマージェンシー孔４５から取り外して、元の取付孔５３に差し込んでメインブラケット２１と螺合させるだけで修理前の元の状態に容易に復帰させることができる。このエマージェンシー機構は、エマージェンシー機構を備えていないリンク機構にエマージェンシー孔４５と長孔４６とを設けてワッシャ５１，５１を樹脂製とするだけで構成できるので、製造コストを低く抑えることができ、設計変更も少しで済むため、新たな設計コストもほとんど生じない。
【００５７】
《その他の実施形態》
本発明は、前記実施形態について、以下のような構成としてもよい。
【００５８】
前記実施形態においては、解除用押圧部９３をジャッキレバー１０４によって押圧操作しているが、これに限られるものではない。つまり、挿通空間Ｓ内に挿通可能な棒状の部材であれば、任意の棒状の部材を採用することができる。
【００５９】
また、前記実施形態では、デッキパネル６の前端においてルーフ格納室７が前方に開口しており、この開口に挿通空間Ｓが開口しているが、ルーフ格納室７の前部が仕切パネル等で仕切られる構成においては、該仕切パネル等に、挿通空間Ｓに臨む開口を形成するようにすればよい。さらに、エマージェンシーボルト４４の操作と解除用押圧部９３の操作とを同じ開口から行えるように構成すると、作業効率を向上させることができる。
【００６０】
また、前記実施形態では、フック部材であるセクターギヤ１３がモータ１２によって駆動されているが、油圧系で駆動されるものであってもよい。さらに、セクターギヤ１３は回動することで被係合ピン９２に対して係合するフック部材であるが、これに限られるものではなく、直動して被係合ピン９２に係合するフック部材であってもよい。
【００６１】
さらにまた、挿通空間Ｓ内において解除用押圧部９３まで棒状の部材を案内するガイド部材としてガイドパイプ８が採用されているが、これに限られるものではない。つまり、断面円形である必要はなく、断面方形であっても、断面半円形であってもよい。また、パイプ部材のように連続的に案内するガイド部材である必要はなく、複数箇所に断続的に複数のガイド部材が設けられる構成であってもよい。さらには、挿通空間Ｓ内において、解除用押圧部９３が、ガイド部材なしでも押圧操作が可能な場所に位置する場合には、ガイド部材を設けなくてもよい。
【００６２】
前記実施形態では、リッド部材としてデッキパネルを採用しているが、これに限定されず、トランクリッドなどでも構わない。また、エマージェンシー機構を働かせた後にリッドに加える外力は人力に限定されず、機械的な力を用いても構わない。
【００６３】
尚、例えばモータブラケット１１の位置や形状、メインブラケット２１の位置や形状、セクターギヤ１３及び解除用押圧部９３の形状、エマージェンシーボルト４４の設置位置や操作位置などはエマージェンシー操作によりセクターギヤ１３とピニオン２２との噛み合わせが外れる位置や形状であればどのようなものであっても構わない。
【００６４】
前記実施形態では、モータ１２を移動させることによりピニオン２２とセクターギヤ１３との噛み合わせを外しているが、セクターギヤ１３の側を移動させることによりピニオン２２とセクターギヤ１３との噛み合わせを外す機構としても構わない。また、ピニオン２２とセクターギヤ１３との間にアイドルギヤを挿入しても構わない。この場合、アイドルギヤを移動させることによりピニオン２２とセクターギヤ１３との間の噛み合いを外してもよい。さらに、モータ１２やセクターギヤ１３、アイドルギヤを、モータ駆動軸と水平な方向に移動させてピニオン２２とセクターギヤ１３との噛み合いを外しても構わない。さらに実施形態を含む以上の場合において、セクターギヤ１３ではなく通常のギヤを用いても構わない。
【００６５】
モータ１２を移動させるエマージェンシー部材は、ボルトに限定されない。単なる棒状の部材であってモータブラケット１１を押して移動させるものであってもよいし、鉤状の部材であってモータブラケット１１の一部に係合させてモータブラケット１１を押してあるいは引いて移動させるものであっても構わない。つまり、エマージェンシー部材はモータブラケット１１に当接、係合、嵌合等してモータブラケット１１を移動させることができる形状のものであればどのようなものでも構わない。
【００６６】
解除用押圧部９３及びエマージェンシーボルト４４の操作は車室側から行うことに限られず、収納スペースの後方側（例えばトランク）や下側、側方から操作を行っても良い。
【産業上の利用可能性】
【００６７】
以上説明したように、本発明に係るエマージェンシー機構は、簡単な構造であってロック機構を容易に解除することができるので、車両のリッド部材のロック機構のエマージェンシー機構等として有用である。
【図面の簡単な説明】
【００６８】
【図１】リトラクタブルルーフを備えている車両の後部を示す模式的な側面図である。
【図２】リトラクタブルルーフを備えている車両の後部を示す別の模式的な側面図である。
【図３】リトラクタブルルーフが格納状態における車両の後部を示す模式的な斜視図である。
【図４】デッキパネルを開閉するリンク機構の、デッキパネルが閉まっている状態での模式的な側面図である。
【図５】デッキパネルを開閉するリンク機構の、デッキパネルが全開となっている状態での模式的な側面図である。
【図６】リンク機構を構成部品に分解して示した図である。
【図７】挿通空間内を車両前方から見た図である。
【図８】ロック状態を解除するときの、デッキパネルのロック機構の模式的な側面図である。
【図９】デッキパネルを開閉するリンク機構の、エマージェンシ機構を働かせた状態での模式的な側面図である。
【符号の説明】
【００６９】
１３    セクターギヤ（係合部材、係合本体）
６      デッキパネル（リッド部材）
７      ルーフ格納室（所定空間）
８      ガイドパイプ（ガイド部材）
９      ロック機構
９２    被係合ピン（被係合部材）
９３    解除用押圧部
【図１】
0004790494.tif 000002
【図２】
0004790494.tif 000003
【図３】
0004790494.tif 000004
【図４】
0004790494.tif 000005
【図５】
0004790494.tif 000006
【図６】
0004790494.tif 000007
【図７】
0004790494.tif 000008
【図８】
0004790494.tif 000009
【図９】
0004790494.tif 000010